(57)【要約】      （修正有）【課題】片面のみ又は両面の使用を可能とするカード収容ホルダーを提供する。【解決手段】表表紙４と裏表紙５とが、カード収納部を持つ帯状の折りたたみ可能なカード収容フィルムの両端に連接又は連結され、表表紙４のフラップ２で裏表紙５を留めあわせ、裏表紙５のフラップ２で表表紙４を留めあわせた構造とする。【選択図】図１
0003189374.tif 000002
【実用新案登録請求の範囲】
【請求項１】
表表紙と裏表紙とが、カード収容フィルムを介して連接されているカード収容ホルダーであって、カード収容フィルムは、帯状で、両面にカードの収容が可能なポケット部分を有し、折り目に沿って蛇腹に折りたため、表表紙および裏表紙は、共に一辺がカード収容フィルムの一辺と連接され、対辺側にフラップを有しており、前記カード収容フィルムを折りたたんだ状態で、裏表紙のフラップは、折り返すことで対する表表紙と留め具を介して留められ、表表紙のフラップは、折り返すことで対する裏表紙と留め具を介して留められ、両留め具を外せば、カード収容フィルムを帯状に展開することで両面のカードの出し入れが可能となり、どちらか一方の留め具を外せば、カード収容フィルムの一方の面のカードの出し入れのみが可能となるカード収容ホルダー。
【請求項２】
表表紙と裏表紙とが、連結具を介してカード収容フィルムと連結されるカード収容ホルダーであって、カード収容フィルムは、帯状で、両面にカードの収容が可能なポケット部分を有し、折り目に沿って蛇腹に折りたため、且つ両端に上記連結具と連結可能な孔を有しており、表表紙および裏表紙は、共に一辺にカード収容フィルムの一辺と連結される連結具を備え、対辺側にフラップを有しており、前記カード収容フィルムを折りたたんだ状態で、裏表紙のフラップは、折り返すことで対する表表紙と留め具を介して留められ、表表紙のフラップは、折り返すことで対する裏表紙と留め具を介して留められ、両留め具を外せば、カード収容フィルムを帯状に展開することで両面のカードの出し入れが可能となり、どちらか一方の留め具を外せば、カード収容フィルムの一方の面のカードの出し入れのみが可能となるカード収容ホルダー。
【請求項３】
前記表表紙と裏表紙とが、異なる図形、記号若しくはこれらの結合又はこれらと色彩との結合であることを特徴とする請求項１又は請求項２に記載のカード収容ホルダー。
【請求項４】
別途、表表紙、裏表紙又はカード収容フィルムに貼れるシール付きあることを特徴とする請求項１乃至請求項２に記載のカード収容ホルダー。
【請求項５】
前記表表紙又は裏表紙には、更にストラップが通せる穴を一個以上有していることを特徴とする請求項１乃至請求項２に記載のカード収容ホルダー。
【考案の詳細な説明】
【技術分野】
【０００１】
本考案は、カード収容ホルダーに関するものである。
【背景技術】
【０００２】
従来、ポイントカード、受診カード、メンバーズカード、キャッシュカード、定期券、名刺等のカード収容ホルダーとして、折り畳んだカード収納シートを展開して使用できる展開式、一室ずつ仕切られたカード収納室に多数のカードが一枚ずつ収納可能なものが知られている。
【非特許文献１】実開Ｈ５−８２８５５
【特許文献１】特開２００５−２９６５９１
【考案の開示】
【考案が解決しようとする課題】
【０００３】
どれも貯まったカードを収納するには便利であるが、前記展開式は、折り畳んだシートを展開する際、カードが少ないうちは、カードを収容していない不要なシート部分まで展開されてしまい、再度畳む作業が無駄に感じられることが多かった。
【０００４】
また、後段の方式は、外観より必要なカードの認識がしづらく、カードが増えるにしたがい必要なカードを見つける時間がかかるデメリットが生じていた。
【０００５】
本考案は、上記問題を解決するため成されたもので、片面のみ又は両面の使用を可能とするカード収容ホルダーを提供する。
【課題を解決するための手段】
【０００６】
表表紙と裏表紙とが、カード収納部を持つ帯状の折りたたみ可能なカード収容フィルムの両端に連接又は連結され、表表紙のフラップで裏表紙を留めあわせ、裏表紙のフラップで表表紙を留めあわせた構造とする。
【考案の効果】
【０００７】
本考案によれば、１冊でカード収容フィルムを構成する表面又は裏面のうち使用したい面のみを使用し、又は両面の使用を可能とするカード収容ホルダーを提供することができる。また、使用したい面を間違わずに開くことができる。
【考案を実施するための最良の形態】
【０００８】
表表紙と裏表紙とが、カード収容フィルムを介して連接又は連結されているカード収容ホルダーであって、カード収容フィルムは、帯状で、両面にカードの収容が可能なポケット部分を有し、折り目に沿って蛇腹に折りたため、表表紙および裏表紙は、共に一辺がカード収容フィルムの一辺と連接又は連結され、対辺側にフラップを有しており、前記カード収容フィルムを折りたたんだ状態で、裏表紙のフラップは、折り返すことで対する表表紙と留め具を介して留められ、表表紙のフラップは、折り返すことで対する裏表紙と留め具を介して留められるカード収容ホルダーとする。また、適時表表紙と裏表紙に異なる模様等を施し、シールを張り、ストラップ用孔を備える。
【実施例１】
【０００９】
以下、図１乃至図４を参照して本考案に係るカード収容ホルダー実施例を説明する。
【００１０】
まず、カード収容フィルム６を形成する。
【００１１】
カード収容フィルム６は、図２及び図３のように展開した状態で帯状に形成し、等間隔で山折り谷折りの順で蛇腹に折りたためる折り目８を有し、等間隔に区切って出来た複数の面の表面と裏面とにそれぞれカード１０が収容可能なポケット７を１つ又は複数形成する。
【００１２】
このとき、等間隔の幅は、表表紙４又は裏表紙５からはみ出さない幅であることが望ましい。
【００１３】
また、カード１０が収容できるポケット７の開口部の向きは、上向き、横向き等特に限定しない。
【００１４】
そして、展開した状態で帯状に形成されたカード収容フィルム６の両端の一方が表表紙４に、もう一方が裏表紙５に圧着等で接合されて連接されている。
【００１５】
なお、図２による実施例では、カード収容フィルム６を４列で構成し、１列につき３枚のカードを収容できる仕切りを両面に備えることで、片面で１２枚、両面で２４枚収納可能なカード収容フィルム６となっている。
【００１６】
次に、表表紙及び裏表紙を形成する。
【００１７】
表表紙４及び裏表紙５はどちらにもフラップ２を備え、両表紙及び各フラップに、それぞれ一対の留め具９を備えておく。
【００１８】
そして、上述の通り、カード収容フィルム６の両端を表表紙４と裏表紙５に接合して、図４のように折りたたんだ状態で、留め具９を介して、表表紙４のフラップを裏表紙５に向かって折り返して裏表紙５との留め合わせを、裏表紙５のフラップを表表紙４に向かって折り返して表表紙４との留め合わせを可能とする。
【００１９】
このとき、実施例のように表紙とフラップの間にマチ部を設けても良い。
【００２０】
使用時は、両表紙の留め具９を外し、折り畳まれたカード収容フィルム６を帯状に展開することで、両面へのカードの出し入れが可能となる。
【００２１】
一方、どちらかの留め具９のみを外せば、カード収容フィルム６の両面のうち、開放された面のカードの出し入れのみが可能となり、開放されていない面は閉じられたままカードの出し入れは不可能となる。
【００２２】
ここで、表表紙４の表面に例えば無模様で有色の裏表紙５とは違う水玉模様を施すことで、使用したい面とは反対の面を開放することを防止できる。
【００２３】
よって、表表紙と裏表紙とが、それぞれ異なった模様若しくは色彩又はこれらの結合を施すことで同様の効果を有することができる。
【００２４】
また、留め具９は、実施例では嵌め留め式の一対のボタンを使用しているが、例えば磁石式、ファスナー式、その他の方式の留め具としても構わない。
【００２５】
なお、使用態様は、自己で両面を使用したり、使用ジャンルや、使用頻度に応じて自由に表面と裏面を使い分けることができる。
【００２６】
また、２人で１冊を共有し、片面ずつシェアすることができる。
【００２７】
そして、表表紙と裏表紙とが、それぞれ異なった模様若しくは色彩又はこれらの結合を構成しなくても同様の効果を得るため、シール３を表表紙、裏表紙又はカード収容フィルムに貼っても良い。
【００２８】
このシール３は、自由な位置に貼れるように、最初から張らず、シール単体が別途付いたカード収容フィルムとする。
【実施例２】
【００２９】
次に、以下、図面５及び図６を参照して本考案に係るカード収容ホルダーの別の実施例を説明する。
【００３０】
本実施例は、実施例１で述べた表表紙４及び裏表紙５と、カード収容フィルム６との接合に代えて、連結具１３を介した連結を可能にしたものである。
【００３１】
この連結具１３は、カード収容フィルム６の取り外しが可能となるため、例えば、図５のように両面でカードが３０枚収容可能なカード収容フィルム６を図６のように４２枚収容可能なカード収容フィルム６に取り替えて、自分の所有枚数に応じたカード収容フィルムを適時選択できる。
【００３２】
このとき、実施例のように２穴リング式連結具を使用し、前記リング式に対応した位置に連結孔を有するカード収容フィルム６を使用する。
【００３３】
また、リング式に代えてルーズリーフ式に変更しても良く、この場合は、ルーズリーフ式に対応した連結孔を有するカード収容フィルム６を使用する。
【００３４】
こうして完成されたカード収容ホルダーは、カード収容フィルム６を取り替え可能な効果を除いて、実施例１と同様の効果を有する。
【実施例３】
【００３５】
更に、以下、図面７及び図８を参照して本考案に係るカード収容ホルダーの別の実施例を説明する。
【００３６】
本実施例は、実施例１及び実施例２で述べた考案にストラップを付けることで利便性を増した使用を可能にしたものである。
【００３７】
どちらかの表紙にストラップ用の孔を２つ成型し、ストラップを通せば、図７のように展開した状態で、壁掛け態様が可能となる。
【００３８】
また、どちらかの表紙にストラップ用の孔１４を１つ成型し、ストラップを通せば、図８のような状態で使用が可能となる。
【００３９】
このように、好ましい実施例を挙げて本考案を説明したが、本考案はその実施例に限定されるものではなく、本考案の要旨の範囲内で種々に組み合わせや改変できる。
【図面の簡単な説明】
【００４０】
【図１】本考案に係るカード収容ホルダーの完成状態図である。
【図２】本考案に係るカード収容ホルダーにおいて、カード収容フィルムを折り畳んだ状態から展開する状態を示す図である。
【図３】本考案に係るカード収容ホルダーにおいて、カード収容フィルムを展開した状態を示す図である。
【図４】本考案に係るカード収容ホルダーにおいて、カード収容フィルムを折り畳んだ状態の断面図である。
【図５】本考案に係るカード収容ホルダーにおいて、連結可能なカード収容フィルムを折り畳んだ状態から展開する状態を示す図である。
【図６】本考案に係るカード収容ホルダーにおける連結孔を有するカード収容フィルムを示す図である。
【図７】本考案に係るカード収容ホルダー使用態様の１つを示す図である。
【図８】本考案に係るカード収容ホルダー使用態様の１つを示す図である。
【符号の説明】
【００４１】
１  カード収容ホルダー
２  フラップ
３  シール
４  表表紙
５  裏表紙
６  カード収容フィルム
７  ポケット
８  折り目
９  留め具
１０  カード
１１  連結孔
１２  ストラップ
１３  連結具
１４  ストラップ用の孔
【図１】
0003189374.tif 000003
【図２】
0003189374.tif 000004
【図３】
0003189374.tif 000005
【図４】
0003189374.tif 000006
【図５】
0003189374.tif 000007
【図６】
0003189374.tif 000008
【図７】
0003189374.tif 000009
【図８】
0003189374.tif 000010
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
表表紙と裏表紙とが、カード収容フィルムを介して連接されているカード収容ホルダーであって、カード収容フィルムは、帯状で、両面にカードの収容が可能なポケット部分を有し、折り目に沿って蛇腹に折りたため、表表紙および裏表紙は、共に一辺がカード収容フィルムの一辺と連接され、対辺側にフラップを有しており、前記カード収容フィルムを折りたたんだ状態で、裏表紙のフラップは、折り返すことで対する表表紙と留め具を介して留められ、表表紙のフラップは、折り返すことで対する裏表紙と留め具を介して留められ、両留め具を外せば、カード収容フィルムを帯状に展開することで両面のカードの出し入れが可能となり、どちらか一方の留め具を外せば、カード収容フィルムの一方の面のカードの出し入れのみが可能となるカード収容ホルダー。
【請求項２】
表表紙と裏表紙とが、連結具を介してカード収容フィルムと連結されるカード収容ホルダーであって、カード収容フィルムは、帯状で、両面にカードの収容が可能なポケット部分を有し、折り目に沿って蛇腹に折りたため、且つ両端に上記連結具と連結可能な孔を有しており、表表紙および裏表紙は、共に一辺にカード収容フィルムの一辺と連結される連結具を備え、対辺側にフラップを有しており、前記カード収容フィルムを折りたたんだ状態で、裏表紙のフラップは、折り返すことで対する表表紙と留め具を介して留められ、表表紙のフラップは、折り返すことで対する裏表紙と留め具を介して留められ、両留め具を外せば、カード収容フィルムを帯状に展開することで両面のカードの出し入れが可能となり、どちらか一方の留め具を外せば、カード収容フィルムの一方の面のカードの出し入れのみが可能となるカード収容ホルダー。
【請求項３】
前記表表紙と裏表紙とに、異なる図形、記号若しくはこれらの結合又はこれらと色彩との結合で構成される模様が施されていることを特徴とする請求項１又は請求項２に記載のカード収容ホルダー。
【請求項４】
別途、表表紙、裏表紙又はカード収容フィルムに貼れるシールが付いていることを特徴とする請求項１乃至請求項２に記載のカード収容ホルダー。
【請求項５】
前記表表紙又は裏表紙には、更にストラップが通せる穴を一個以上有していることを特徴とする請求項１乃至請求項２に記載のカード収容ホルダー。